(57)【要約】【構成】サーバ１２に設けられたＣＰＵ１２ｐｒは、複数のがん患者の各々に対して施された診療行為の内容を示す診療行為情報を外部から取得し、取得した診療行為情報に基づいてマスタデータベースＭＤＢを構築する。構築されたマスタデータベースＭＤＢには、複数のがん患者にそれぞれ対応しかつ各々ががん種別およびＴＮＭ分類値を含む複数の治療実績が登録される。所望のがん種別およびＴＮＭ分類値を伴う治療実績リクエストを携帯情報端末から受信すると、ＣＰＵ１２ｐｒは、所望のがん種別およびＴＮＭ分類値に対応するがん種別およびＴＮＭ分類値を各々が含む１または２以上の治療実績をマスタデータベースＭＤＢから検出し、検出した１または２以上の治療実績を携帯情報端末に返送する。【効果】新規のがん患者に対する治療方針の決定を支援する支援性能が向上する。【選択図】図２
2018147274.tif 000002
【特許請求の範囲】
【請求項１】
複数のがん患者の各々に対して施された診療行為の内容を示す診療行為情報に基づいて新規のがん患者に対する治療方針の決定を支援する治療方針決定支援装置であって、
前記複数のがん患者にそれぞれ対応しかつ各々ががん種別およびＴＮＭ分類値を含む複数の治療実績が登録されたマスタデータベースを前記診療行為情報に基づいて構築する構築手段を備え、
所望のがん種別およびＴＮＭ分類値を伴う治療実績リクエストを受信したとき、前記所望のがん種別およびＴＮＭ分類値に対応するがん種別およびＴＮＭ分類値を各々が含む１または２以上の治療実績を前記構築手段によって構築されたマスタデータベースから検出し、検出した１または２以上の治療実績を前記治療実績リクエストの発行元に返送するようにした、治療方針決定支援装置。
【請求項２】
前記複数の治療実績の各々は、治療方法、治療費用および治療日数の少なくとも１つをさらに含む、請求項１記載の治療方針決定支援装置。
【請求項３】
前記診療行為情報は、前記診療行為の内容が記載されたＥファイルおよびＦファイルの少なくとも１つと、少なくとも前記がん種別および前記ＴＮＭ分類値が記載されたがん登録ファイルとを含む、請求項１または２記載の治療方針決定支援装置。
【請求項４】
複数のがん患者の各々に対して施された診療行為の内容を示す診療行為情報に基づいて新規のがん患者に対する治療方針の決定を支援する治療方針決定支援装置によって実行される治療方針決定支援方法であって、
前記複数のがん患者にそれぞれ対応しかつ各々ががん種別およびＴＮＭ分類値を含む複数の治療実績が登録されたマスタデータベースを前記診療行為情報に基づいて構築する構築ステップを備え、
所望のがん種別およびＴＮＭ分類値を伴う治療実績リクエストを受信したとき、前記所望のがん種別およびＴＮＭ分類値に対応するがん種別およびＴＮＭ分類値を各々が含む１または２以上の治療実績を前記構築手段によって構築されたマスタデータベースから検出し、検出した１または２以上の治療実績を前記治療実績リクエストの発行元に返送するようにした、治療方針決定支援方法。
【請求項５】
複数のがん患者の各々に対して施された診療行為の内容を示す診療行為情報に基づいて新規のがん患者に対する治療方針の決定を支援する治療方針決定支援装置のプロセッサに、
前記複数のがん患者にそれぞれ対応しかつ各々ががん種別およびＴＮＭ分類値を含む複数の治療実績が登録されたマスタデータベースを前記診療行為情報に基づいて構築する構築ステップを実行させるための治療方針決定支援プログラムであって、
所望のがん種別およびＴＮＭ分類値を伴う治療実績リクエストを受信したとき、前記所望のがん種別およびＴＮＭ分類値に対応するがん種別およびＴＮＭ分類値を各々が含む１または２以上の治療実績を前記構築手段によって構築されたマスタデータベースから検出し、検出した１または２以上の治療実績を前記治療実績リクエストの発行元に返送するようにした、治療方針決定支援プログラム。
【発明の詳細な説明】
【技術分野】
【０００１】
この発明は、治療方針決定支援装置、治療方針決定支援方法、および治療方針決定支援プログラムに関し、特に、がん治療の流れを可視化して治療方針の決定を支援する、治療方針決定支援装置、治療方針決定支援方法、および治療方針決定支援プログラムに関する。
【背景技術】
【０００２】
この種の装置の一例が、特許文献１に開示されている。この文献によれば、患者を特定する情報は情報端末から受信され、患者に関する疾病名および診断結果は、電子カルテシステムおよびＲＩＳ／ＰＡＣＳから取得される。システムサーバは、取得された疾病名および診断結果に基づいて選択可能な複数の治療パスを特定し、特定した複数の医療パスの一覧を情報端末に送信する。
【０００３】
ここで、患者を特定する情報としては、患者のカルテ情報，病歴情報，検体検査情報，生理診断情報，病理診断情報などが想定される。また、患者に関する診断結果は、癌の病期「ステージ」分類，悪性度，進展度，癌の国際臨床病気分類を表すＴＮＭ分類に基づいて得られる。さらに、治療パスとしては、手術，放射線治療，化学治療（抗ガン剤），これらの組み合わせが想定される。
【０００４】
これによって、治療指針の決定やインフォームドコンセントに有益な情報を医師，医療チームおよび患者に提供することができる。
【先行技術文献】
【特許文献】
【０００５】
【特許文献１】特開２００６−７２５３３号公報
【発明の概要】
【発明が解決しようとする課題】
【０００６】
しかし、特許文献１の技術では、選択可能な複数の治療パスを特定するにあたって他人の診断結果が参照されることはなく、治療方針の決定支援性能に限界がある。
【０００７】
それゆえに、この発明の主たる目的は、支援性能を高めることができる、治療方針決定支援装置、治療方針決定支援方法、および治療方針決定支援プログラムを提供することである。
【課題を解決するための手段】
【０００８】
この発明に係る治療方針決定支援装置(12：実施例で相当する参照符号。以下同じ)は、複数のがん患者の各々に対して施された診療行為の内容を示す診療行為情報に基づいて新規のがん患者に対する治療方針の決定を支援する治療方針決定支援装置(12)であって、複数のがん患者にそれぞれ対応しかつ各々ががん種別およびＴＮＭ分類値を含む複数の治療実績が登録されたマスタデータベース(MDB)を診療行為情報に基づいて構築する構築手段(S1~S63)を備え、所望のがん種別およびＴＮＭ分類値を伴う治療実績リクエストを受信したとき、所望のがん種別およびＴＮＭ分類値に対応するがん種別およびＴＮＭ分類値を各々が含む１または２以上の治療実績を構築手段によって構築されたマスタデータベースから検出し、検出した１または２以上の治療実績を治療実績リクエストの発行元に返送するようにした、治療方針決定支援装置である。
【０００９】
好ましくは、複数の治療実績の各々は、治療方法、治療費用および治療日数の少なくとも１つをさらに含む。
【００１０】
好ましくは、診療行為情報は、診療行為の内容が記載されたＥファイルおよびＦファイルの少なくとも１つと、少なくともがん種別およびＴＮＭ分類値が記載されたがん登録ファイルとを含む。
【００１１】
この発明に係る治療方針決定支援方法は、複数のがん患者の各々に対して施された診療行為の内容を示す診療行為情報に基づいて新規のがん患者に対する治療方針の決定を支援する治療方針決定支援装置(12)によって実行される治療方針決定支援方法であって、複数のがん患者にそれぞれ対応しかつ各々ががん種別およびＴＮＭ分類値を含む複数の治療実績が登録されたマスタデータベース(MDB)を診療行為情報に基づいて構築する構築ステップ(S1~S63)を備え、所望のがん種別およびＴＮＭ分類値を伴う治療実績リクエストを受信したとき、所望のがん種別およびＴＮＭ分類値に対応するがん種別およびＴＮＭ分類値を各々が含む１または２以上の治療実績を構築手段によって構築されたマスタデータベースから検出し、検出した１または２以上の治療実績を治療実績リクエストの発行元に返送するようにした、治療方針決定支援方法である。
【００１２】
この発明に係る治療方針決定支援プログラムは、複数のがん患者の各々に対して施された診療行為の内容を示す診療行為情報に基づいて新規のがん患者に対する治療方針の決定を支援する治療方針決定支援装置(12)のプロセッサ(12pr)に、複数のがん患者にそれぞれ対応しかつ各々ががん種別およびＴＮＭ分類値を含む複数の治療実績が登録されたマスタデータベース(MDB)を診療行為情報に基づいて構築する構築ステップ(S1~S63)を実行させるための治療方針決定支援プログラムであって、所望のがん種別およびＴＮＭ分類値を伴う治療実績リクエストを受信したとき、所望のがん種別およびＴＮＭ分類値に対応するがん種別およびＴＮＭ分類値を各々が含む１または２以上の治療実績を構築手段によって構築されたマスタデータベースから検出し、検出した１または２以上の治療実績を治療実績リクエストの発行元に返送するようにした、治療方針決定支援プログラムである。
【発明の効果】
【００１３】
診療行為情報は複数のがん患者の各々に対して施された診療行為の内容を示すところ、診療行為情報に基づいてマスタデータベースに登録される複数の治療実績は、複数のがん患者にそれぞれ対応しかつ各々ががん種別およびＴＮＭ分類値を含む。
【００１４】
所望のがん種別およびＴＮＭ分類値を伴う治療実績リクエストを受信すると、これに対応する１または２以上の治療実績がマスタデータベースから検出され、検出された１または２以上の治療実績が治療実績リクエストの発行元に返送される。これによって、新規のがん患者に対する治療方針の決定を支援する支援性能が向上する。
【００１５】
この発明の上述の目的，その他の目的，特徴および利点は、図面を参照して行う以下の実施例の詳細な説明から一層明らかとなろう。
【図面の簡単な説明】
【００１６】
【図１】この実施例に適用される治療方針決定支援システムの構成を示すブロック図である。
【図２】治療方針決定支援システムを構成するサーバの一例を示すブロック図である。
【図３】治療方針決定支援システムを構成する携帯情報端末の一例を示すブロック図である。
【図４】サーバに設けられたＣＰＵの動作の一部を示すフロー図である。
【図５】サーバに設けられたＣＰＵの動作の他の一部を示すフロー図である。
【図６】サーバに設けられたＣＰＵの動作のその他の一部を示すフロー図である。
【図７】サーバに設けられたＣＰＵの動作のさらにその他の一部を示すフロー図である。
【図８】ＣＳＶ形式に従うＥファイルの構造の一部を示す図解図である。
【図９】ＣＳＶ形式に従うＥファイルの構造の他の一部を示す図解図である。
【図１０】ＣＳＶ形式に従うＥファイルの構造のその他の一部を示す図解図である。
【図１１】ＣＳＶ形式に従うＦファイルの構造の一部を示す図解図である。
【図１２】ＣＳＶ形式に従うＦファイルの構造の他の一部を示す図解図である。
【図１３】ＣＳＶ形式に従うＦファイルの構造のその他の一部を示す図解図である。
【図１４】ＣＳＶ形式に従うがん登録ファイルの構造の一部を示す図解図である。
【図１５】図２に示すサーバに設けられた治療方法名称変換データベースの一部を示す図解図である。
【図１６】図２に示すサーバに設けられたがんコード変換データベースの一部を示す図解図である。
【図１７】図２に示すサーバに設けられた治療履歴データベースの一部を示す図解図である。
【図１８】図２に示すサーバに設けられた治療方法データベースの一部を示す図解図である。
【図１９】図２に示すサーバに設けられた治療方法データベースの他の一部を示す図解図である。
【図２０】図２に示すサーバに設けられた治療詳細データベースの一部を示す図解図である。
【図２１】図２に示すサーバに設けられた治療詳細データベースの他の一部を示す図解図である。
【図２２】図２に示すサーバに設けられた月額治療費用データベースの一部を示す図解図である。
【図２３】図３に示す携帯情報端末のＬＣＤに表示される画面の一例を示す図解図である。
【図２４】図３に示す携帯情報端末のＬＣＤに表示される画面の他の一例を示す図解図である。
【図２５】図３に示す携帯情報端末のＬＣＤに表示される画面のその他の一例を示す図解図である。
【図２６】図３に示す携帯情報端末のＬＣＤに表示される画面のさらにその他の一例を示す図解図である。
【図２７】図３に示す携帯情報端末のＬＣＤに表示される画面の他の一例を示す図解図である。
【図２８】図３に示す携帯情報端末のＬＣＤに表示される画面のその他の一例を示す図解図である。
【図２９】図３に示す携帯情報端末のＬＣＤに表示される画面のさらにその他の一例を示す図解図である。
【図３０】図３に示す携帯情報端末のＬＣＤに表示される画面の他の一例を示す図解図である。
【発明を実施するための形態】
【００１７】
図１を参照して、この実施例の治療方針決定支援システム１０は、院内ＬＡＮ１４に接続されたサーバ（治療方針決定支援装置）１２および無線通信基地局１６と、院内ＬＡＮ１４および無線通信基地局１６を介してサーバ１２と通信を行う携帯情報端末１８とによって構成される。
【００１８】
図２を参照して、サーバ１２はバスＢＳ１を含む。バスＢＳ１には、ＣＰＵ１２ｐｒ，ＤＲＡＭ１２ｄｍ，ＨＤＤ１２ｈｄおよび通信Ｉ／Ｆ１２ｃｍが接続される。また、図３を参照して、携帯情報端末１８はバスＢＳ２を含む。バスＢＳ２には、アンテナＡＮＴを有する通信回路１８ｃｍ，ＣＰＵ１８ｐｒ，ＤＲＡＭ１８ｄｍ，ＬＣＤ１８ｄｐ，タッチセンサ１８ｔｓおよび不揮発性メモリ１８ｆｍが接続される。ＬＣＤ１８ｄｐに対するタッチ操作は、タッチセンサ１８ｔｓによって検知される。
【００１９】
図２に示すＨＤＤ１２ｈｄには、過去の複数のがん患者にそれぞれ対応する複数の治療実績が登録されたマスタデータベースＭＤＢが構築される。ここで、マスタデータベースＭＤＢは、図１７に示す治療履歴データベースＤＢＲ，図１８〜図１９に示す治療方法データベースＤＢＴ，図２０〜図２１に示す治療詳細データベースＤＢＳ，図２２に示す月額治療費用データベースＤＢＣによって構成される。
【００２０】
また、マスタデータベースＭＤＢを構築するにあたっては、ＣＶＳ形式に従うＥファイル，Ｆファイルおよびがん登録ファイルが、過去の複数のがん患者の各々に対して施された診療行為の内容を示す診療行為情報として、外部から取得される。取得した診療行為情報の記載は、予めＨＤＤ１２ｈｄ内に構築された治療方法名称変換データベースＤＢＮおよびがんコード変換データベースＤＢＰと照合される。
【００２１】
図８〜図１０を参照して、Ｅファイルは、データ識別番号，順序番号，レセ電コード，診療行為名称，行為点数，円点区分，行為回数および実施日日付を項目として有する。また、図１１〜図１３を参照して、Ｆファイルは、データ識別番号，順序番号，レセ電コードおよび診療明細名称を項目として有する。さらに、図１４を参照して、がん登録ファイルは、患者ＩＤ番号，がんコード，退院日，当該腫瘍初診日，Ｔ分類，Ｎ分類，Ｍ分類，生年月日および性別を項目として有する。
【００２２】
ここで、Ｆファイルにおいては、２以上の診療明細名称が共通のデータ識別番号および順序番号に割り当てられる場合がある。この場合、Ｅファイルに記載された同じデータ識別番号および順序番号には、２以上の診療明細名称を代表する名称が診療行為名称として割り当てられる。  
【００２３】
たとえば、図１２によれば、Ｆファイルに記載されたデータ識別番号“１２３−９０００００００２”および順序番号“２４”には、診療明細名称として、“エンドキサン５００ｍｇ［注射用］”，“ワンタキソテール点滴静注８０ｍｇ／４ｍｌ”および“ワンタキソテール点滴静注２０ｍｇ／１ｍｌ”の３つが割り当てられる。この場合、Ｅファイルに記載されたデータ識別番号“１２３−９０００００００２”および順序番号“２４”には、診療行為名称として“エンドキサン５００ｍｇ［注射用］”が割り当てられる（図９参照）。
【００２４】
図１５を参照して、治療方法名称変換データベースＤＢＮは、詳細治療方法，レセ電コードおよび治療方法を項目として有する。また、図１６を参照して、がんコード変換データベースＤＢＰは、がんコードおよびがん種別を項目として有する。
【００２５】
図１７を参照して、治療履歴データベースＤＢＲは、実績番号，がん種別，治療患者の年代，治療患者の性別，治療日数，Ｔ分類，Ｎ分類およびＭ分類を項目として有する。また、図１８〜図１９を参照して、治療方法データベースＤＢＴは、実績番号，治療方法番号および治療方法を項目として有する。
【００２６】
さらに、図２０〜図２１を参照して、治療詳細データベースＤＢＳは、実績番号，治療方法番号，治療方法詳細番号および詳細治療方法を項目として有する。さらにまた、図２２を参照して、月額治療費用データベースＤＢＣは、実績番号，月額番号，実施年月および月額費用を項目として有する。
【００２７】
図１に示す携帯情報端末１８は、治療のために病院を訪れた新規のがん患者に手渡される。新規のがん患者が携帯情報端末１８を操作すると、所望のがん種別およびＴＮＭ分類値が記述された治療実績リクエストがサーバ１２に与えられる。
【００２８】
サーバ１２に設けられたＣＰＵ１２ｐｒは、受信した治療実績リクエストに対応するがん種別およびＴＮＭ分類値を各々が含む１または２以上の治療実績をマスタデータベースＭＤＢから検出し、検出した１または２以上の治療実績を携帯情報端末１８に返送する。新規のがん患者は、返送された治療実績を参照しながら治療方針について医師と協議し、最終的に治療方針を決定する。こうして、新規のがん患者に対する治療方針の決定が支援される。
【００２９】
ＣＰＵ１２ｐｒは、マスタデータベースＭＤＢを構築する際、図４〜図７に示すフロー図に従う処理を実行する。なお、これらのフロー図に対応する制御プログラムは、ＨＤＤ１２ｈｄに記憶される。
【００３０】
図４を参照して、ステップＳ１では、図８〜図１０に示すＥファイル，図１１〜図１３に示すＦファイル，図１４に示すがん登録ファイルを取得する。ステップＳ３では変数Ｋを“１”に設定し、ステップＳ５ではＥファイルのＫ番目のカラムのレコードを“Ｋ番目のＥレコード”として指定する。
【００３１】
ステップＳ７では、Ｋ番目のＥレコードに記載されたデータ識別番号を患者ＩＤ番号に変換する。変換された患者ＩＤ番号は、データ識別番号の末尾９ケタの番号と一致する。ステップＳ９では、Ｋ番目のＥレコードに記載されたレセ電コードに対応する治療方法の名称を、図１５に示す治療方法名称変換データベースＤＢＮを参照して検出する。
【００３２】
ステップＳ１１では、Ｋ番目のＥレコードに記載された行為点数，円点区分および行為回数に基づいて、Ｋ番目のＥレコードに対応する診療行為の費用を算出する。算出された費用は、“治療費用”と定義される。ステップＳ１３では、ステップＳ７で変換された患者ＩＤ番号を手掛かりとして、がん登録ファイルからＫ番目のＥレコードに対応するレコードを取得する。取得したレコードは、“がんレコード”として定義される。
【００３３】
ステップＳ１５では、取得したがんレコードに記載されたがんコードに対応するがん種別を、図１６に示すがんコード変換データベースＤＢＰを参照して検出する。ステップＳ１７では、取得したがんレコードに記載された生年月日とＫ番目のＥレコードに記載された実施日付とに基づいて、治療時の患者の年代を算出する。
【００３４】
ステップＳ１９では、取得したがんレコードに記載された性別コードを性別に変換する。性別は、性別コード“１”に対応して“男”に変換され、性別コード“２”に対応して“女”に変換される。ステップＳ２１では、取得したがんレコードに記載されたＴＮＭ分類から“Ｔ”，“Ｎ”，“Ｍ”の文字列を除いた値を検出する。
【００３５】
ステップＳ２３では、実績番号を新規に発行する。ステップＳ２５では、発行した実績番号とステップＳ１５〜Ｓ２１で特定したがん種別，年代，性別，ＴＮＭ分類の値とを、図１７に示す治療履歴データベースＤＢＲに登録する。
【００３６】
ステップＳ２７では、治療方法番号を新規に発行する。ステップＳ２９では、ステップＳ２３およびＳ２７でそれぞれ発行した実績番号および治療方法番号と、ステップＳ９で検出した治療方法の名称とを図１８〜図１９に示す治療方法データベースＤＢＴに登録する。ステップＳ３１では、Ｋ番目のＥレコードに記載されたデータ識別番号および順序番号に対応するレコードをＦファイルから取得する。取得したレコードは、“Ｆレコード”として定義される。
【００３７】
ステップＳ３３では取得したＦレコードに記載された診療明細名称を検出し、ステップＳ３５では治療方法詳細番号を新規に発行する。ステップＳ３７では、ステップＳ２３，Ｓ２７およびＳ３５でそれぞれ発行された実績番号，治療方法番号および治療方法詳細番号とステップＳ３３で検出された診療明細名称とを図２０〜図２１に示す治療詳細データベースＤＢＳに登録する。このとき、診療明細名称は、“詳細治療方法”として登録される。
【００３８】
ステップＳ３９では、Ｋ番目のＥレコードに記載された実施日付から実施年月を抽出する。ステップＳ４１では、ステップＳ２３で発行された実績番号とステップＳ３９で抽出された実施年月とに対応するレコードを図２２に示す月額治療費用データベースＤＢＣから探索する。
【００３９】
ステップＳ４３では、ステップＳ４１の探索結果が“探知”を示すか否かを判別する。判別結果がＮＯであれば、ステップＳ４５で月額番号を新規に発行する。ステップＳ４７では、ステップＳ２３およびＳ４７でそれぞれ発行された実績番号および月額番号と、ステップＳ３９で抽出された実施年月と、ステップＳ１１で算出された治療費用とを、月額治療費用データベースＤＢＣに登録する。これに対して、判別結果がＹＥＳであればステップＳ４９に進み、ステップＳ１１で算出された治療費用を探知したレコードの月額費用に積算する。
【００４０】
ステップＳ４７またはＳ４９の処理が完了すると、ステップＳ５１に進む。ステップＳ５１では、Ｋ番目のＥレコードに記載されたデータ識別番号および順序番号に対応する別のレコード（別のレコードは未処理のレコードに限る。）をＦファイルから探索する。ステップＳ５３では、探索結果が“探知”を示すか否かを判別する。ステップＳ５３の判別結果がＹＥＳであればステップＳ５５に進み、探知されたレコードを“Ｆレコード”として指定する。指定が完了すると、ステップＳ３３に戻る。
【００４１】
これに対して、ステップＳ５３の判別結果がＮＯであればステップＳ５７に進む。ステップＳ５７では、ステップＳ１３で取得されたがんレコード上の退院日および当該腫瘍初診日に基づいて、治療日数を算出する。ステップＳ５９では、算出された治療日数を図１７に示す治療履歴データベースＤＢＲに登録する。このとき、治療日数は、ステップＳ２３で発行された実績番号に割り当てられる。
【００４２】
ステップＳ６１では変数Ｋをインクリメントし、ステップＳ６３では変数Ｋが最大値Ｋｍａｘ（＝Ｅファイルを構成するカラムの総数）を上回るか否かを判別する。判別結果がＮＯであればステップＳ５に戻る一方、判別結果がＹＥＳであれば処理を終了する。
【００４３】
こうしてマスタデータベースＭＤＢが構築されることを前提として、図３に示す携帯情報端末１８に設けられたＣＰＵ１８ｐｒは、トップ画面をＤＲＡＭ１８ｄｍに展開する。展開されたトップ画面はＬＣＤ１８ｄｐによって読み出され、図２３に示す要領で表示される。
【００４４】
図２３によれば、トップ画面は、“あなたのがんを教えていただきます。下記の中から選択してください。”の文字列と、“中咽頭がん”，“食道がん”，“乳がん”，“肺がん”，“胃がん”，“肝がん”，“膵がん”，“大腸がん”，“子宮頸がん”などのアイコンとによって構成される。
【００４５】
がん患者が“乳がん”をタッチ操作によって選択すると、ＣＰＵ１８ｐｒは、ＤＲＡＭ１８ｄｍに展開されたトップ画面をＴＮＭ画面に更新する。更新されたＴＮＭ画面はＬＣＤ１８ｄｐによって読み出され、図２４に示す要領で表示される。図２４によれば、ＴＮＭ画面は、“乳がんのＴ・Ｎ・Ｍを選択してください。”の文字列と、ＴＮＭ分類の値を選択的に入力する入力窓と、「検索」ボタンとによって構成される。
【００４６】
ここで、がん患者が“１ｃ”，“０”，“０”を選択し、かつ「検索」ボタンをタッチすると、ＣＰＵ１８ｐｒは、治療実績リクエストの発行を通信回路１８ｃｍに命令する。通信回路１８ｃｍは、がん種別およびＴＮＭ分類の値として“乳がん”および“１ｃ”，“０”，“０”が記述された治療実績リクエストを作成し、作成した治療実績リクエストをサーバ１２に向けて発行する。
【００４７】
サーバ１２に設けられたＣＰＵ１２ｐｒは、治療実績リクエストに記述されたがん種別およびＴＮＭ分類の値に適合する１または２以上の実績番号および１または２以上の治療日数を、図１７に示す治療履歴データベースＤＢＲから検出する。
【００４８】
ＣＰＵ１２ｐｒはまた、検出した１または２以上の実績番号の各々に割り当てられた１または２以上の治療方法の名称および１または２以上の詳細治療方法の名称を、図１８〜図１９に示す治療方法データベースＤＢＴおよび図２０〜図２１に示す治療詳細データベースＤＢＳからそれぞれ検出する。
【００４９】
ＣＰＵ１２ｐｒはさらに、検出した１または２以上の実績番号の各々に割り当てられた１または２以上の治療費用の総額を、図２２に示す月額治療費用データベースＤＢＣを参照して算出する。
【００５０】
ＣＰＵ１２ｐｒは、こうして取得した治療日数，治療方法の名称，詳細治療方法の名称，総額治療費用を、治療実績として携帯情報端末１８に返送する。携帯情報端末１８に設けられたＣＰＵ１８ｐｒは、返送された治療実績を共通の治療方法毎に集計し、集計結果を表す画面を概算治療実績としてＤＲＡＭ１８ｄｍに展開する。展開された概算治療実績はＬＣＤ１８ｄｐによって読み出され、図２５，図２６または図２７に示す要領で表示される。
【００５１】
図２５は治療日数が長い順に治療実績をソートした状態を表し、図２６は総額治療費用が高い順に治療実績をソートした状態を表し、図２７は選択頻度が多い順に治療実績をソートした状態を表す。ここで、各治療方法に割り当てられた治療日数および費用は、平均値とされる。また、各治療方法に割り当てられた選択頻度は、取得した治療方法のうちの何パーセントが割り当て先の治療方法であるかを示す。さらに、表示された概算治療実績は、スクロール操作に従ってスクロールされる。
【００５２】
概査治療実績が表示された状態で、所望の治療方法がタッチ操作によって選択されると、ＣＰＵ１８ｐｒは、選択された治療方法に対応する治療詳細をＤＲＡＭ１８ｄｍに展開する。展開された治療詳細はＬＣＤ１８ｄｐによって読み出され、図２８，図２９または図３０に示す要領で表示される。
【００５３】
図２８〜図３０のいずれも、図２５に示す“治療法４”，図２６に示す治療法３または図２７に示す治療法３が選択された場合の治療詳細を示す。ただし、図２８は総額治療費用を基準とし、図２９および図３０は治療日数を基準とする。また、図２９および図３０は画面下側の表示をスクロールする前後の状態を示す。
【００５４】
図２８においては、総額治療費用に関する統計グラフが画面上側に表示され、治療方法（詳細を含む），総額治療費用および治療日数が画面下側に表示される。また、図２９および図３０においては、治療日数に関する統計グラフが画面上側に表示され、治療方法（詳細を含む），総額治療費用および治療日数が画面下側に表示される。
【００５５】
以上の説明から分かるように、サーバ１２に設けられたＣＰＵ１２ｐｒは、複数のがん患者の各々に対して施された診療行為の内容を示す診療行為情報（Ｅファイル，Ｆファイルおよびがん登録ファイル）を外部から取得し、取得した診療行為情報に基づいてマスタデータベースＭＤＢを構築する(S1~S63)。構築されたマスタデータベースＭＤＢには、複数のがん患者にそれぞれ対応しかつ各々ががん種別およびＴＮＭ分類値を含む複数の治療実績が登録される。
【００５６】
所望のがん種別およびＴＮＭ分類値を伴う治療実績リクエストを携帯情報端末１８から受信すると、ＣＰＵ１２ｐｒは、所望のがん種別およびＴＮＭ分類値に対応するがん種別およびＴＮＭ分類値を各々が含む１または２以上の治療実績をマスタデータベースＭＤＢから検出し、検出した１または２以上の治療実績を携帯情報端末１８に返送する。これによって、新規のがん患者に対する治療方針の決定を支援する支援性能が向上する。
【符号の説明】
【００５７】
１０  …治療方針決定支援システム
１２  …サーバ
１６  …無線通信基地局
１８  …携帯情報端末
１２ｐｒ，１８ｐｒ  …ＣＰＵ
１２ｈｄ，１８ｈｄ  …ＨＤＤ
【図１】
2018147274.tif 000003
【図２】
2018147274.tif 000004
【図３】
2018147274.tif 000005
【図４】
2018147274.tif 000006
【図５】
2018147274.tif 000007
【図６】
2018147274.tif 000008
【図７】
2018147274.tif 000009
【図８】
2018147274.tif 000010
【図９】
2018147274.tif 000011
【図１０】
2018147274.tif 000012
【図１１】
2018147274.tif 000013
【図１２】
2018147274.tif 000014
【図１３】
2018147274.tif 000015
【図１４】
2018147274.tif 000016
【図１５】
2018147274.tif 000017
【図１６】
2018147274.tif 000018
【図１７】
2018147274.tif 000019
【図１８】
2018147274.tif 000020
【図１９】
2018147274.tif 000021
【図２０】
2018147274.tif 000022
【図２１】
2018147274.tif 000023
【図２２】
2018147274.tif 000024
【図２３】
2018147274.tif 000025
【図２４】
2018147274.tif 000026
【図２５】
2018147274.tif 000027
【図２６】
2018147274.tif 000028
【図２７】
2018147274.tif 000029
【図２８】
2018147274.tif 000030
【図２９】
2018147274.tif 000031
【図３０】
2018147274.tif 000032